(57)【特許請求の範囲】
【請求項１】
対応コネクタを挿入するための挿入口を有する筐体と、
挿入方向と直交する方向に配列された電気接触子を具備する電気接触子配列体と、
該筐体の一部と係合する支軸の回動によって前記挿入口を開閉可能な遮蔽板と、
前記遮蔽板と前記筐体との間に介在して遮蔽板を前記挿入口を塞ぐ閉位置に常時付勢する第１のバネと、
前記筐体の長手方向の両端部に付勢される第２のバネにより支持された可動部であって、挿入面に対し挿入方向に幅が狭くなるような傾斜部を有する第１ガイド部と、前記第２のバネの付勢によって前記遮断板の少なくとも一部と当接する第２のガイド部と、前記第１ガイド部と前記第２ガイド部とを同時に係合させる筐体の一部の画成部とを具備するコネクタであって、
前記対応コネクタを挿入する際に、前記傾斜部と前記対応コネクタとの接圧によって、前記第２のバネの付勢力に抗して前記可動部を挿入方向と直交する方向に移動させるとともに、前記対応コネクタが前記遮蔽板を押圧することによって前記挿入口を開口させることを特徴とする電気コネクタ。
【請求項２】
前記第１ガイド部と前記第２ガイド部とを同時に係合させる画成部が前記筐体と一体であることを特徴とする請求項１に記載の電気コネクタ。
【発明の詳細な説明】
【０００１】
【発明の属する技術分野】
本発明はシャッター付きの電気コネクタに関するものである。
【０００２】
【従来の技術】
【特許先行文献】
特開平８−２２８６３号公報
【０００３】
対応するコネクタとの接続前の状態において、コネクタ接続用の挿入口を遮蔽するためのシャッター機構を有するコネクタは、上記先行文献に記載されている。
【０００４】
前記先行文献によれば、このシャッター付き電気コネクタは、相手方コネクタが差込まれてきたことを検知するスイッチを備えたコネクタにおいて、挿入空間が非常に狭くなっているため、蓋体を挿入空間の内部で開閉動させるためのスペースを挿入空間内に確保することが容易でなかった点、また、コネクタのボディはほとんどがプラスチック成形体なので、軸体を介して蓋体をプラスチック製のボディに取り付ける構成を採用すると、蓋体の開閉動に伴って軸体が回動されるとボディの軸体保持部（軸受部）が比較的早期に摩耗して蓋体ががたついて円滑な開閉がなされなくなったり、場合によってはその摩耗により蓋体が開閉不可能になったりする虞がある点に着目し、それを改善する構造を有するシャッター付き電気コネクタを提供している。
【０００５】
前記提供されるシャッター付き電気コネクタは、相手方コネクタをボディに形成された挿入空間に差込んでいくと、相手方コネクタで押された蓋体がバネ体の力に抗して軸部の回りに開位置まで動き、また、相手方コネクタを挿入空間から引抜くと、蓋体がバネ体の力により軸部の回りに閉位置まで戻り、そのときに係合部が被係合部に係合して蓋体が閉位置に規制されるというものである。
【０００６】
ところが、この構造によるコネクタの問題点は、相手方のコネクタ形状が挿入口よりも小さければ、コネクタの形状を問わず挿入方向からの押圧により蓋体を開動することができる点にある。つまり、適合形状を有さない相手方のコネクタをも容易に挿入空間へ案内してしまう可能性を有する。さらに、当該コネクタが携帯型パーソナルコンピュータまたはその拡張機器に対して適用されるときに、その使用環境に応じて塵埃または異物の混入に対して敏感な接点部分を適切に保護する必要がある。
【０００７】
【発明が解決しようとする課題】
本願の出願人は、上記の問題点を鑑み、相手方が正規のコネクタである場合のみ遮蔽機構を解除する構造を有するコネクタを発明した。
【０００８】
本発明の実施形態によれば、本願の電気コネクタは、
対応コネクタを挿入するための挿入口を有する筐体と、
挿入方向と直交する方向に配列された電気接触子を具備する電気接触子配列体と、
該筐体の一部と係合する支軸の回動によって前記挿入口を開閉可能な遮蔽板と、
前記遮蔽板と前記筐体との間に介在して遮蔽板を前記挿入口を塞ぐ閉位置に常時付勢する第１のバネと、
前記筐体の長手方向の両端部に付勢される第２のバネにより支持され、挿入面に対し挿入方向に幅が狭くなるような傾斜部を有する第１ガイド部と、前記遮断板の少なくとも一部と当接して係止部を形成する前記筐体の一部と摺動する第２ガイド部とを有する可動部とを具備するコネクタであって、
前記対応コネクタを挿入する際に、前記傾斜部と前記対応コネクタとの接圧によって、前記第２のバネの付勢力に抗して前記可動部を挿入方向と直交する方向に移動させるとともに、前記対応コネクタが前記遮蔽板を押圧することによって前記挿入口を開口させることを特徴とする。
【０００９】
本願のコネクタに対応コネクタが挿入されると、前記第１ガイド部の傾斜部を押圧しながら挿入方向に進む。前記可動部は前記傾斜部への押圧とともに第２のバネの付勢力に抗する方向に移動する。そのとき、一方では、第１ガイド部が挿入方向の幅を拡張しながら対応コネクタを遮蔽板方向に案内し、他方では、筐体内部において挿入方向に対する遮蔽板との係止部を有する第２ガイド部が遮蔽板との係止を解除する。したがって、対応コネクタは遮蔽板方向に遮蔽板を押圧しながら挿入口を開口させて筐体内部に案内される。前記可動部が筐体端壁に当接するときが可動部の可動域の限界となり前記幅の拡張が停止するので、挿入口の長手方向の幅が規定される。したがって、挿入口長手方向の幅よりも前記対応コネクタの挿入部が大きければ挿入はできない。つまり、前記挿入口長手方向幅と適合する幅を有するコネクタでなければ対応コネクタを挿入することができないので、正規のコネクタのみを挿入可能な機構を実現することができる。
【００１０】
本発明の別の実施形態によれば、本願の電気コネクタは、前記第１ガイド部と前記第２ガイド部とを同時に係合させる画成部が前記筐体と一体であることを特徴とする。
【００１１】
例えば、前記可動部を前記第１ガイド部と前記第２ガイド部とをコ字状に形成し、筐体内部において、前記２つのガイド部との係合面を摺動するような筐体の一部である画成部を設ければ、前記可動部全体の上下方向および対応コネクタ挿入方向に対する動きを規制することができ、ガタツキ防止の役に立つ。
【００１２】
【実施形態】
図１は、本発明によるシャッター付き電気コネクタの組立分解図を示している。本発明によるコネクタ１は、対応コネクタを挿入するための挿入口１２を有する筐体２、支軸１１を介して回動する遮蔽板７、筐体２内の長手方向の両端部における遮蔽板可動用溝１４に配置されて筐体２の一部である画成部１５と係合するコ字状可動部材４（具体的な構造は図４参照）、前記筐体２の両端部において該可動部材４を挿入方向と直交する方向に付勢する螺旋バネ３、前記筐体２と前記遮蔽板７との間に介在して前記遮蔽板７の支軸１１と係合して挿入口１２の開閉動作を規制する開閉用バネ５、および電気接触子配列体６からなる。以下、開閉用バネ５以外は筐体２の両端部において共通の構造を有するため挿入口１２に対して左側の構造のみを説明する。
【００１３】
図２は、図１に図示した各部材の組立後の挿入口１２が開口した様態を示す斜視図である。挿入口１２の長手方向両端部には、前記コ字状可動部材４の挿入方向手前の第１ガイド部の傾斜面９が図２のように配置される。
【００１４】
図３は、図２とは異なる視点から見た斜視図である。電気接触子配列体６は、対応コネクタと電気的接点を有するように挿入方向に延長した電気接触子を、挿入方向と直交する方向に配列した電気接触子列１３を具備する。
【００１５】
図４は、図１に示した各部材の組立て後において遮蔽板７が挿入口１２を閉じた状態における筐体内端部構造の拡大図である。挿入口１２奥側の第２ガイド部１０と挿入方向手前の傾斜面９を有する第１ガイド部とを有する可動部材４は、挿入口１２および遮蔽板７の大きさまたは幅を規定するために構成された筐体の一部である画成部１５と係合すると共に、前記第２ガイド部１０の先端部は前記遮蔽板７の一面の端縁と係止して挿入方向の力に対して遮蔽板７の回動を阻止している。また、同様に可動部材４の一部である円柱形状の可動軸８は、前記画成部１５と前記第１および前記第２ガイド部との係合面と同一方向にあって、該可動軸８端から筐体２端部の壁面までの可動域を規定している。前記可動域と、前記遮蔽板７の一面の端縁と係止する第２ガイド部の先端部との長さは同一である。前記傾斜面９は挿入方向に対して幅が縮小するように形成されており、対応コネクタが挿入されると、まず、対応コネクタが可動部材４の前記傾斜面９を接圧しながら遮蔽板７方向に進む。そのとき、可動部材４は前記接圧によって前記螺旋バネ３の付勢力に抗する方向に移動するとともに、可動部材４のコ字状の各内部係合面は、筐体の一部である画成部１５との係合面に沿って移動し、これにより前記第２ガイド部１０は遮蔽板７との係止を解除し対応コネクタの挿入を可能にする。つまり、遮蔽板７の係止を解除する可動域に達したときに挿入可能なコネクタが挿入されるべき形状に合致する対応コネクタであるといえる。
【００１６】
図５は、図４とは異なる視点に基づいた、遮蔽板７が挿入口１２を閉じた状態における筐体内端部構造を示すものである。遮蔽板７を挿入口１２の閉じた閉位置に保持する機構は、遮蔽板７の支軸１１と係合する開閉用バネ５が、対応コネクタの非結合時に挿入口１２を常時閉じた状態となるように遮蔽板７を付勢する力と、前述の第２ガイド部１０と遮蔽板７との係止とによって実現している。
【００１７】
図６は、異なる２つの視点に基づいて図１に示した各部材の組立て後の筐体２と電気接触子配列体６とを嵌合する直前の斜視図である。図６に示したように筐体２と電気接触子配列体６とを嵌合すると本発明による電気コネクタは完成し、対応するコネクタが挿入されると上述したような過程でコネクタ接続を実現する。
【００１８】
【効果】
上述の説明のように、本願発明は正規の対応コネクタのみを挿入可能なコネクタを実現し、コネクタの非接続時において塵埃に対する侵入防止機能を果たす。
【図面の簡単な説明】
【図１】  図１は、本発明によるシャッター付き電気コネクタの組立分解図を示している。
【図２】  図２は、図１に図示した各部材の組立後の挿入口が開口した様態を示す斜視図である。
【図３】  図３は、図２を異なる視点からみた斜視図である。
【図４】  図４は、図１に示した各部材の組立て後において遮蔽板が挿入口を閉じた状態における筐体内端部構造の拡大図である。
【図５】  図５は、図４とは異なる視点に基づいた遮蔽板が挿入口を閉じた状態における筐体内端部構造である。
【図６】  図６は、異なる２つの視点に基づいて図１に示した各部材の組立て後の筐体と電気接触子配列体とを嵌合する直前の斜視図である。
【符号の説明】
１・・・本発明による電気コネクタ
２・・・筐体
３・・・螺旋バネ
４・・・コ字状可動部材
５・・・開閉用バネ
６・・・電気接触子配列体
７・・・遮蔽板
８・・・可動軸
９・・・傾斜面
１０・・ガイド部
１１・・支軸
１２・・挿入口
１３・・電気接触子列
１４・・遮蔽板可動用溝
１５・・画成部
【図１】
0003699446.tif 000002
【図２】
0003699446.tif 000003
【図３】
0003699446.tif 000004
【図４】
0003699446.tif 000005
【図５】
0003699446.tif 000006
【図６】
0003699446.tif 000007